(57)【要約】【課題】落下菌防止用のフードを備えたショーケースにおいて、フードの高さを容易に変更することを可能とするともに、フードが落下菌の進入を効果的に排除することを可能にする。【解決手段】ショーケース１００の商品陳列部１１ａの上方に備えられるフード１５を、フード１５に設けられたスライド部１４が、商品陳列部１１ａから上方に延出された支柱１２に設けられたスライドレール１３に沿って上下方向に案内される構成により、上下方向に移動可能とした。また、このフード１５を上方向に移動する際、移動補助部１６が、フード１５を上方へ引き上げる補助力を付与する構成にし、フード１５を上方へ移動するのための力を軽減するようにした。【選択図】　　図１
2004008686.tif 000002
【特許請求の範囲】
【請求項１】
上面に開口部が形成された箱部を有するショーケースにおいて、
前記開口部の上方を覆う笠部材と、
前記笠部材に設けられた把持部と、
前記把持部を掴んで上下方向に押し引きすることにより前記笠部材を上下方向に移動可能に構成された移動機構部と、
を備えることを特徴とするショーケース。
【請求項２】
請求項１記載のショーケースにおいて、
前記笠部材を移動させるための補助力を付与する補助力付与手段を備えていることを特徴とするショーケース。
【請求項３】
請求項１又は２に記載のショーケースにおいて、
前記笠部材の移動に伴う力を吸収する力吸収手段を備えていることを特徴とするショーケース。
【請求項４】
請求項１〜３の何れか一項に記載のショーケースにおいて、
前記移動機構部は、
前記箱部に、上方に延出して設けられた支柱と、
前記支柱の上下方向に沿って、該支柱に設けられた案内部と、
前記笠部材の側端部に設けられ、前記案内部に案内される案内子と、
を備えていることを特徴とするショーケース。
【請求項５】
請求項１〜４の何れか一項に記載のショーケースにおいて、
前記笠部材は、前記移動機構部に従って下方へ移動した際に、前記箱部へ当接するとともに、前記開口部内への外気の流入を遮断することを特徴とするショーケース。
【請求項６】
請求項５記載のショーケースにおいて、
前記箱部は、前記笠部材と当該箱部とによって形成された空間内に、冷気を吹き出す吹出口と、
前記空間内の空気を吸い込む吸気口と、
を備えていることを特徴とするショーケース。
【発明の詳細な説明】
【０００１】
【発明の属する技術分野】
本発明は、上面に開口部が形成された箱部を有するショーケースに関する。
【０００２】
【従来の技術】
近時、スーパーマーケットなどのセルフサービス方式の食品販売店では、冷蔵食品や冷凍食品等の陳列に、上部を開放した平型の冷蔵・冷凍ショーケースがよく用いられている。
【０００３】
図１０はその一例を示すもので、ショーケース５００は、箱形の本体部５００ａの上面に矩形の開口部を有する商品陳列部６００を備えており、その本体部５００ａの内部には冷蔵、冷凍機構成機器（図示省略）が収納されている。その商品陳列部６００の上方には、商品陳列部６００内への落下菌進入防止用のフード７００が備えられている。
【０００４】
【発明が解決しようとする課題】
しかしながら、フード７００の固定位置を低くし、商品陳列部６００とフード７００との間隔を狭くすることにより、落下菌が商品陳列部６００へ進入しにくくすると、買い物客がショーケース５００に陳列された商品を見定めにくくなるとともに、商品を取りづらくなるという問題があった。一方、フード７００の固定位置を高くし、商品陳列部６００とフード７００との間隔を広くすることにより、買い物客がショーケース５００に陳列された商品を取り易くすると、落下菌が商品陳列部６００へ進入し易くなるという問題があった。
また、ショーケース５００に陳列された商品の取り易さに関する商品陳列部６００とフード７００との最適な間隔については、各々の買い物客毎に異なるという問題があった。
【０００５】
本発明の課題は、落下菌防止用のフードを備えたショーケースにおいて、落下菌の進入を効果的に排除しつつ、買い物客が買い物しやすい高さにフード高さを容易に変更することができるショーケースを提供することである。
【０００６】
【課題を解決するための手段】
以上の課題を解決するため、請求項１記載の発明は、
上面に開口部（例えば、商品陳列部１１ａ）が形成された箱部（例えば、本体部１０）を有するショーケース（例えば、ショーケース１００、２００、３００）において、
前記開口部の上方を覆う笠部材（例えば、フード１５）と、
前記笠部材に設けられた把持部（例えば、取手１５ｂ）と、
前記把持部を掴んで上下方向に押し引きすることにより前記笠部材を上下方向に移動可能に構成された移動機構部（例えば、移動機構部２０、３０、４０等）と、
を備えることを特徴とする。
【０００７】
請求項１記載の発明によれば、ショーケースの箱部に形成された開口部を覆う笠部材は、移動機構部により把持部を掴んで上下方向に押し引きすることによって上下方向に移動可能に構成されているので、笠部材を所望の位置、高さに容易に変更することができるとともに、笠部材の位置を上下方向に調整することにより、開口部への落下物の進入をより効果的に排除することができる。
【０００８】
請求項２記載の発明は、請求項１記載のショーケースにおいて、
前記笠部材を移動させるための補助力を付与する補助力付与手段（例えば、移動補助部１６、２６等）を備えていることを特徴とする。
【０００９】
請求項２記載の発明によれば、請求項１記載の発明と同様の効果が得られることは無論のこと、特に、笠部材を移動させる際には、補助力付与手段により補助力が付与されるので、笠部材をより軽微な力で移動させることができる。
【００１０】
請求項３記載の発明は、請求項１又は２に記載のショーケースにおいて、
前記笠部材の移動に伴う力を吸収する力吸収手段（例えば、ダンパー２１等）を備えていることを特徴とする。
【００１１】
請求項３記載の発明によれば、請求項１又は２に記載の発明と同様の効果が得られることは無論のこと、特に、笠部材の移動に伴う力は、力吸収手段により吸収されるので、笠部材の急激な移動が抑止される。よって、笠部材が他の部材へ激しく衝突することを防止することができる。
また、例えば、笠部材と他の部材との間に指や手が挟まれた場合でも、指や手に激しい力が加わって指や手を痛めてしまうことを防止することができる。
【００１２】
請求項４記載の発明は、請求項１〜３の何れか一項に記載のショーケースにおいて、
前記移動機構部は、
前記箱部に、上方に延出して設けられた支柱（例えば、支柱１２）と、
前記支柱の上下方向に沿って、該支柱に設けられた案内部（例えば、スライドレール１３、スライドレール１７、ラックギア３１）と、
前記笠部材の側端部（例えば、側面板１５ｄ）に設けられ、前記案内部に案内される案内子（例えば、スライド部１４、ベアリング１８、ピニオンギア３２）と、
を備えていることを特徴とする。
【００１３】
請求項４記載の発明によれば、請求項１又は２に記載の発明と同様の効果が得られることは無論のこと、特に、移動機構部は、支柱と、その支柱に設けられた案内部と、その案内部に案内される案内子とにより構成されており、笠部材に設けられた案内子が案内部に沿って上下方向に案内されるので、笠部材は前後左右方向のぶれが抑えられた、スムーズな上下方向の移動を行うことができる。
【００１４】
請求項５記載の発明は、請求項１〜４の何れか一項に記載のショーケースにおいて、
前記笠部材は、前記移動機構部に従って下方へ移動した際に、前記箱部へ当接するとともに、前記開口部内への外気の流入を遮断することを特徴とする。
【００１５】
請求項５記載の発明によれば、請求項１〜４の何れか一項に記載の発明と同様の効果が得られることは無論のこと、特に、笠部材は、下方へ移動し箱部へ当接した際に、開口部内への外気の流入を遮断するので、より開口部への進入物等を効果的に排除することができるとともに、笠部材と箱部とによって形成された空間内の環境を外部から独立させることができる。
【００１６】
請求項６記載の発明は、請求項５記載のショーケースにおいて、
前記箱部は、前記笠部材と当該箱部とによって形成された空間内に、冷気を吹き出す吹出口（例えば、冷気吹出口１０ｂ）と、
前記空間内の空気を吸い込む吸気口（例えば、吸気口１０ｃ）と、
を備えていることを特徴とする。
【００１７】
請求項６記載の発明によれば、請求項５記載の発明と同様の効果が得られることは無論のこと、特に、笠部材と箱部とによって形成された空間内において、冷気を吹き出す吹出口と、空間内の空気を吸い込む吸気口とを備えているので、空間内の温度を低温に保つことができる。
【００１８】
【発明の実施の形態】
以下、図を参照して本発明の実施の形態を詳細に説明する。
〔第１の実施の形態〕
図１は、本発明の第１の実施の形態におけるショーケースの斜視図である。図２は同ショーケースにおける正面図であり、図３は同ショーケースにおける一部透視側面図である。
【００１９】
図１から図３に示されるように、本発明のショーケース１００は、箱部としての箱形の本体部１０を備えている。本体部１０は、上面に形成された矩形の縁部１１に囲われた部分に開口部を有する商品陳列部１１ａを備えるとともに、本体部１０の内部に冷蔵・冷凍機器（図示省略）を収納している。
冷蔵・冷凍機器（図示省略）から供給される冷気は、商品陳列部１１ａの中央に設けられた冷気循環部１０ａの冷気吹出口１０ｂから商品陳列部１１ａ内に吹き出され、商品陳列部１１ａに収納される食品等を冷却した後、冷気循環部１０ａの吸気口１０ｃから吸い込まれ、冷蔵・冷凍機器（図示省略）に戻り、循環するように構成されている（図３に示される、矢印ＩＩＩの冷気の流れ参照）。
【００２０】
商品陳列部１１ａの上方には、商品陳列部１１ａを覆うように配置された笠部材としてのフード１５と、このフード１５を鉛直方向に移動可能に構成された移動機構部２０を備えている。
フード１５は、水平な矩形の天板１５ａと、その天板１５ａの長辺側にそれぞれ所定の角度で接合され、略中央に把持部としての取手１５ｂが設けられた傾斜板１５ｃ、１５ｃと、天板１５ａと傾斜板１５ｃ、１５ｃとを所定の角度に保持するように接合された側面板１５ｄと、天板１５ａの中央に、天板１５ａと傾斜板１５ｃ、１５ｃとを所定の角度に保持、補強するために設けられた補強板１５ｅなどにより構成されている。
【００２１】
移動機構部２０は、本体部１０の縁部１１において対向する短辺の略中央から、それぞれ鉛直方向上方に延出して設けられた支柱１２と、その支柱１２の上下方向に沿って設けられた案内部としてのスライドレール１３と、そのスライドレール１３に接続され、スライドレール１３に案内される案内子としてのスライド部１４などにより構成されている。
【００２２】
スライド部１４は、フード１５の側端部である側面板１５ｄの略中央に設けられ、スライド部１４がスライドレール１３に沿い上下移動することに伴い、フード１５が上下移動するように構成されている。
そして、フード１５に設けられている取手１５ｂを介してフード１５に上下方向に押し引きする力を作用させることにより、フード１５は、商品陳列部１１ａの上方をスライドレール１３に沿い、図２、図３の矢印Ａのように上下に移動する。図２はフード１５が上方に移動した状態、図３はフード１５が最下方に移動した状態を示している。図３に示される状態のように、フード１５が下方に移動して、本体部１０と縁部１１とに当接すると、商品陳列部１１ａ内への外気の流入を遮断することができ、冷気循環部１０ａから吹き出される冷気を、商品陳列部１１ａに効率よく供給することができる。
【００２３】
なお、移動機構部２０において、フード１５を移動させる力が作用する際は、スライド部１４は、スライドレール１３に沿い上下移動し、フード１５を移動させる力がなくなった際には、スライド部１４は、スライドレール１３の任意の位置で留まる機構（例えば、ストッパにより留める機構）を有しており、フード１５を任意の高さに調整することができるようになっている。
【００２４】
また、フード１５は、光透過性を有する材質のもの、例えば、アクリル樹脂により構成されており、フードが下方にある場合でも、フード１５を介して商品陳列部１１ａに収納される食品等を視認することができるようになっている。
【００２５】
また、支柱１２と支柱１２、１２の上端部に掛け渡された横梁１２ａには、補助力付与手段としての移動補助部１６が備えられている。
移動補助部１６は、例えば、ばね材が縮む作用により回転するドラム１６ａと、一端がドラム１６ａに接続され、ドラム１６ａに巻き取られるワイヤー１６ｂと、ワイヤー１６ｂが懸架されるプーリー１６ｃなどにより構成されている。ドラム１６ａから略横方向へ引き出されたワイヤー１６ｂは、プーリー１６ｃを介することで略９０°下方へ方向を変え、フード１５の上面（天板１５ａ）にその他端が固定されている。
【００２６】
フード１５を上方向に移動させる際、このドラム１６ａがワイヤー１６ｂを巻き取る力が、フード１５を上方へ引き上げる補助力となり、その補助力が付与されることでフード１５を上方へ移動するのための力が軽減される。
【００２７】
また、フード１５を下方向へ移動させる際、移動補助部１６のドラム１６ａがワイヤー１６ｂを巻き取る力がフード１５に働くので、移動補助部１６が力吸収手段として作用し、フード１５が急激に落下することから防がれる。よって、フード１５やフード１５が当接する部材の破損を防ぐことができるとともに、フード１５とフード１５が当接する部材との間に手や指が挟まれにくくなる。
【００２８】
このように、ショーケース１００において、フード１５が、商品陳列部１１ａの上方を覆う位置に備えられているので、商品陳列部１１ａの上方から落下してくる菌や埃が商品陳列部１１ａに進入することを防ぐことができる。また、フード１５は移動機構部２０により、上下に移動可能に備えられているので、取手１５ｂを掴んで引っ張ることによりフード１５の位置をより低くし、商品陳列部１１ａとフード１５との間隔を狭くすることにより、落下菌等が商品陳列部１１ａへより進入しにくくすることができる。
【００２９】
また、フード１５を下方へ移動し、商品陳列部１１ａに当接させることにより、商品陳列部１１ａ内への外気の流入を遮断することができ、フード１５と商品陳列部１１ａによって形成される空間の温度等を所望の状態に維持することができる。
また、移動補助部１６がフード１５を上方へ移動するための補助力を付与するので、腕力があまりない者でも取手１５ｂを掴んで下方にあるフード１５を手動により上方へ移動することを容易に行え、商品陳列部１１ａに収納される食品等を取り出す際に、フード１５の高さを容易に変更することができる。
【００３０】
つまり、ショーケース１００において、フード１５は、商品陳列部１１ａへの落下菌等の進入を効果的に防ぐとともに、商品陳列部１１ａに収納される食品等を取り出す際には取り出しやすい高さに容易に変更することができる。
【００３１】
〔第２の実施の形態〕
次に、図４から図６を参照して、本発明の第２の実施の形態について説明する。なお、第１の実施の形態と同一部分には同一符号を付し、異なる部分についてのみ説明する。
図４は、本発明の第２の実施の形態におけるショーケース２００の正面図である。図５は同ショーケースにおける一部透視側面図である。図６は同ショーケースの移動機構部を説明するための一部透視側面図である。
【００３２】
ショーケース２００における移動機構部３０は、本体部１０に設けられた支柱１２と、その支柱１２の上下方向に沿って設けられた案内部としてのスライドレール１７と、そのスライドレール１７に接続され案内される案内子としてのベアリング１８等により構成される。
ベアリング１８は、フード１５の側端部である側面板１５ｄに回動自在に設けられており、フード１５は、スライドレール１７に沿い、ベアリング１８が上下移動することに伴い、商品陳列部１１ａの上方を上下移動する。
【００３３】
また、ショーケース２００における補助力付与手段としての移動補助部２６は、一方の支柱１２の上端に設けられたプーリー２６ａと、他方の支柱１２側の横梁１２ａ上に設けられたプーリー２６ｂと、それらプーリー２６ａ、２６ｂに掛け渡されるとともに、一端がフード１５の上部（天板１５ａ）に固定されたワイヤー２６ｃと、このワイヤー２６ｃの他端に固定された錘２６ｄなどにより構成される。
【００３４】
そして、フード１５を上方向に移動させる際、錘２６ｄの重力が、プーリー２６ａ、２６ｂに掛け渡されたワイヤー２６ｃを介して伝達される。従って、その錘２６ｄによる重力がフード１５を上方へ引き上げる補助力となり、その補助力が付与されることでフード１５を上方へ移動するのための力が軽減される。
【００３５】
また、それぞれの支柱１２の内側面に、支柱１２に並列するように力吸収手段としてのダンパー２１がそれぞれ設けられている。フード１５を下方向へ移動させる際、フード１５に設けられた当接部１５ｆが、ダンパー２１の頭頂部２１ａに当接し、ダンパー２１がフード１５を制動しつつ、フード１５が下降するので、フード１５は急激に落下することから防がれる。具体的には、フード１５が下方向へ移動させる際、当接部１５ｆがダンパー２１の頭頂部２１ａに当接すると、フード１５に制動力が作用する。その後ダンパー２１が縮むことによりフード１５の移動に伴う力を吸収して、フード１５がゆるやかな移動を行うようになる。よって、フード１５やフード１５が当接する部材の破損を防ぐことができるとともに、フード１５とフード１５が当接する部材との間に手や指が挟まれにくくなる。
なお、ダンパー２１としては、エアダンパー、オイルダンパー等がある。
【００３６】
このように、ショーケース２００においても、第１の実施の形態と同様に、フード１５は、商品陳列部１１ａへの落下菌等の進入を効果的に防ぐとともに、商品陳列部１１ａに収納される食品等を取り出す際には取り出しやすい高さに容易に変更することができる。
【００３７】
〔第３の実施の形態〕
次に、図７から図９を参照して、本発明の第３の実施の形態について説明する。なお、第１の実施の形態と同一部分には同一符号を付し、異なる部分についてのみ説明する。
図７は、本発明の第３の実施の形態におけるショーケース３００の正面図である。図８は同ショーケースにおける一部透視側面図である。図９は同ショーケースの移動機構部を示す説明図である。
【００３８】
ショーケース３００における移動機構部４０は、本体部１０に設けられた支柱１２と、その支柱１２の上下方向に沿って設けられた案内部としてのラックギア３１と、そのラックギア３１に噛み合わされ案内される案内子としてのピニオンギア３２、３２等により構成されている。
ピニオンギア３２、３２は、フード１５の側端部としての側面板１５ｄに左右に並べられ、回動自在に設けられている。そのピニオンギア３２、３２の間に噛合されたラックギア３１とのラックアンドピニオン機構により、フード１５は、商品陳列部１１ａの上方を上下に移動する。
【００３９】
また、第２の実施の形態と同様に、プーリー２６（２６ａ、２６ｂ）、ワイヤー２６ｃ、錘２６ｄ等により構成された補助力付与手段としての移動補助部２６により、フード１５を上方へ引き上げる補助力が付与される。
【００４０】
また、フード１５とピニオンギア３２の接続部には、力吸収手段としてのロータリーダンパー３３が設けられている。フード１５を下方向へ移動させる際、ロータリーダンパー３３がピニオンギア３２の回転を制動しつつ、フード１５が下降するので、フード１５は急激に落下することから防がれる。よって、フード１５やフード１５が当接する部材の破損を防ぐことができるとともに、フード１５とフード１５が当接する部材との間に手や指が挟まれにくくなる。
【００４１】
このように、ショーケース３００においても、第１の実施の形態と同様に、フード１５は、商品陳列部１１ａへの落下菌等の進入を効果的に防ぐとともに、商品陳列部１１ａに収納される食品等を取り出す際には取り出しやすい高さに容易に変更することができる。
【００４２】
このように、本発明のショーケース１００、２００、３００によれば、商品陳列部１１ａの上方に備えられたフード１５は、商品陳列部１１ａへの落下菌等の進入を効果的に防ぐとともに、商品陳列部１１ａに収納される食品等を取り出す際には取り出しやすい高さに容易に変更することができる。
また、フード１５を移動させる際には、補助力付与手段により補助力が付与されるので、フード１５をより軽微な力で移動させることができ、その移動に伴う力は、力吸収手段により吸収されるので、フード１５の急激な移動、他の部材へ衝突を防ぐことができる。
【００４３】
なお、以上の実施の形態においては、移動機構部、補助力付与手段、力吸収手段の組み合わせを第１から第３の実施形態としての３例を示したが、本発明はこれに限定されるものではなく、それらの組み合わせは任意である。
また、本体部１０の上面に凸状の縁部１１を形成して設けられた開口部を商品陳列部１１ａとすることに限らず、本体部１０の上面に凹状の開口部を形成し、商品陳列部１１ａとしてもよい。
また、フード１５は複数の板材（天板１５ａ、傾斜板１５ｃ、側面板１５ｄ、補強板１５ｅ）を接続して構成したが、一体成形された一つの部材で構成してもよいし、また、その形状も任意である。
さらに、フード１５の下端縁部に、例えば、ゴム等の軟質材を取り付けてもよい。このような軟質材を取り付けることにより、フード１５が下降した際に指や手が挟まれても軟質材が衝撃を吸収することができることとなって、指や手を痛めてしまうことを防止できる。
加えて、取手１５ｂの近傍のフード１５下端部の一部に、フード１５が最下端に移動してもフード１５と、手や指が当たらないよう形成された適度な大きさの切欠部を設けてもよい。このような切欠部を設けることにより、フード１５が下降した際に指や手が挟まれることがなくなって、指や手を痛めてしまうことを防止できる。
また、ショーケース１００、２００、３００に冷蔵、冷凍機構成機器（図示省略）を備え、商品陳列部１１ａにおける商品等を冷やすことに限らず、温熱機構成機器を備え、商品陳列部１１ａにおける商品等を保温するようにしてもよい。また、それら構成機器等を備えず、商品陳列部１１ａを常温に維持するようにしてもよい。
また、その他、具体的な細部構造等についても適宜に変更可能であることは勿論である。
【００４４】
【発明の効果】
請求項１記載の発明によれば、ショーケースの箱部に形成された開口部を覆う笠部材は、移動機構部により把持部を掴んで上下方向に押し引きすることによって上下方向に移動可能に構成されているので、笠部材を所望の位置、高さに容易に変更することができるとともに、笠部材の位置を上下方向に調整することにより、開口部への落下物の進入をより効果的に排除することができる。
【００４５】
請求項２記載の発明によれば、請求項１記載の発明と同様の効果が得られることは無論のこと、特に、笠部材を移動させる際には、補助力付与手段により補助力が付与されるので、笠部材をより軽微な力で移動させることができる。
【００４６】
請求項３記載の発明によれば、請求項１又は２に記載の発明と同様の効果が得られることは無論のこと、特に、笠部材の移動に伴う力は、力吸収手段により吸収されるので、笠部材の急激な移動が抑止される。よって、笠部材が他の部材へ激しく衝突することを防止することができる。
また、例えば、笠部材と他の部材との間に指や手が挟まれた場合でも、指や手に激しい力が加わって指や手を痛めてしまうことを防止することができる。
【００４７】
請求項４記載の発明によれば、請求項１〜３の何れか一項に記載の発明と同様の効果が得られることは無論のこと、特に、移動機構部は、支柱と、その支柱に設けられた案内部と、その案内部に案内される案内子とにより構成されており、笠部材に設けられた案内子が案内部に沿って上下方向に案内されるので、笠部材は前後左右方向のぶれが抑えられた、スムーズな上下方向の移動を行うことができる。
【００４８】
請求項５記載の発明によれば、請求項１〜４の何れか一項に記載の発明と同様の効果が得られることは無論のこと、特に、笠部材は、下方へ移動し箱部へ当接した際に、開口部内への外気の流入を遮断するので、より開口部への進入物等を効果的に排除することができるとともに、笠部材と箱部とによって形成された空間内の環境を外部から独立させることができる。
【００４９】
請求項６記載の発明によれば、請求項５記載の発明と同様の効果が得られることは無論のこと、特に、笠部材と箱部とによって形成された空間内において、冷気を吹き出す吹出口と、空間内の空気を吸い込む吸気口とを備えているので、空間内の温度を低温に保つことができる。
【図面の簡単な説明】
【図１】本発明にかかる第１の実施の形態におけるショーケースの斜視図である。
【図２】本発明にかかる第１の実施の形態におけるショーケースの正面図である。
【図３】本発明にかかる第１の実施の形態におけるショーケースの一部透視側面図である。
【図４】本発明にかかる第２の実施の形態におけるショーケースの正面図である。
【図５】本発明にかかる第２の実施の形態におけるショーケースの一部透視側面図である。
【図６】本発明にかかる第２の実施の形態におけるショーケースの一部透視側面図である。
【図７】本発明にかかる第３の実施の形態におけるショーケースの正面図である。
【図８】本発明にかかる第３の実施の形態におけるショーケースの一部透視側面図である。
【図９】本発明にかかる第３の実施の形態におけるラックアンドピニオン方式の移動機構部の説明図である。
【図１０】従来のショーケースの斜視図である。
【符号の説明】
１０　　　本体部（箱部）
１０ａ　　冷気循環部
１０ｂ　　冷気吹出口（吹出口）
１０ｃ　　吸気口
１１　　　縁部
１１ａ　　商品陳列部（開口部）
１２　　　支柱（移動機構部）
１２ａ　　横梁
１３　　　スライドレール（移動機構部、案内部）
１４　　　スライド部（移動機構部、案内子）
１５　　　フード（笠部材）
１５ｂ　　取手（把持部）
１５ｄ　　側面板（側端部）
１６　　　移動補助部（補助力付与手段、力吸収手段）
１６ａ　　ドラム（補助力付与手段）
１６ｂ　　ワイヤー（補助力付与手段）
１６ｃ　　プーリー（補助力付与手段）
１７　　　スライドレール（移動機構部、案内部）
１８　　　ベアリング（移動機構部、案内子）
２１　　　ダンパー（力吸収手段）
２６　　　移動補助部（補助力付与手段）
２６（２６ａ、２６ｂ）　プーリー（補助力付与手段）
２６ｃ　　ワイヤー（補助力付与手段）
２６ｄ　　錘（補助力付与手段）
３１　　　ラックギア（移動機構部、案内部）
３２　　　ピニオンギア（移動機構部、案内子）
３３　　　ロータリーダンパー（力吸収手段）
２０、３０、４０　移動機構部
１００、２００、３００　ショーケース
【図１】
2004008686.tif 000003
【図２】
2004008686.tif 000004
【図３】
2004008686.tif 000005
【図４】
2004008686.tif 000006
【図５】
2004008686.tif 000007
【図６】
2004008686.tif 000008
【図７】
2004008686.tif 000009
【図８】
2004008686.tif 000010
【図９】
2004008686.tif 000011
【図１０】
2004008686.tif 000012